(57)【要約】【課題】十分な摩擦力を得ることができる滑り止めキャップ２８及びこれを用いた立て掛け型支持フレーム１１を提供する。【解決手段】床面等に沿って配設される棒材の端部に取り付けられて当該棒材の滑りを防止する滑り止めキャップ２８である。外周面の横断面形状を多角形状に成形し、縦断面形状を樽型に湾曲させて成形した。多角形の外周面の各辺を、内側へ湾曲させて成形した。立て掛け型支持フレーム１１は、物が掛けられる横棒１２と、横棒１２の一端を支持して他端を壁面に当接させて横棒１２を支持する支柱１３と、横棒１２と支柱１３とを回動可能に連結して任意の設定角度で回動を規制する角度規制型ヒンジ１４と、支柱１３を支持する支持脚１５と、支持脚１５の端部に取り付けられた上記滑り止めキャップ２８とから構成した。【選択図】　　図１
0003099249.tif 000002
【実用新案登録請求の範囲】
【請求項１】
床面等に沿って配設される棒材の端部に取り付けられて当該棒材の滑りを防止する滑り止めキャップであって、
外周面の横断面形状を多角形状に成形したことを特徴とする滑り止めキャップ。
【請求項２】
請求項１に記載の滑り止めキャップにおいて、
上記多角形状の外周面の縦断面形状が樽型に湾曲させて成形されたことを特徴とする滑り止めキャップ。
【請求項３】
請求項１又は２に記載の滑り止めキャップにおいて、
上記多角形の外周面の各辺を、内側へ湾曲させて成形されたことを特徴とする滑り止めキャップ。
【請求項４】
床面等に沿って配設される棒材の端部に取り付けられて当該棒材の滑りを防止する滑り止めキャップであって、
外周面の横断面形状を円形状に成形すると共に、その外周面に軸方向に沿った凸条を複数設けたことを特徴とする滑り止めキャップ。
【請求項５】
請求項４に記載の滑り止めキャップにおいて、
上記円形状の外周面の縦断面形状が樽型に湾曲させて成形されたことを特徴とする滑り止めキャップ。
【請求項６】
横方向に配設されて物が掛けられる横棒と、
当該横棒の一端を支持して他端を壁面に当接させることで当該横棒を横方向に保つ支柱と、
上記横棒と上記支柱とを回動可能に連結すると共に、任意の設定角度で回動を規制する角度規制型ヒンジと、
上記支柱の下端部に設けられ、上記横棒と直交する方向に配設されて上記支柱を任意の角度で支持する支持脚と、
当該支持脚の端部に取り付けられた請求項１ないし５のいずれか１項に記載の滑り止めキャップと
を備えて構成されたことを特徴とする立て掛け型支持フレーム。
【請求項７】
請求項６に記載の立て掛け型支持フレームにおいて、
上記角度規制型ヒンジが、上記支柱の上端に取り付けられる支柱側部材と、上記横棒の基端部に取り付けられる横棒側部材とからなり、
上記横棒側部材が上記支柱側部材に回動可能に支持されると共に、任意の設定角度で横棒側部材が支柱側部材に当接して回動を規制されることを特徴とする立て掛け型支持フレーム。
【請求項８】
請求項６に記載の立て掛け型支持フレームにおいて、
上記角度規制型ヒンジが、上記支柱の上端に取り付けられる支柱側部材と、上記横棒の基端部に取り付けられる横棒側部材とからなり、
上記支柱側部材が、上記支柱の上端に嵌合して固定される支柱側支持筒部と、当該支柱側支持筒部の軸芯から一方へ偏心させて上方へ延ばした２つの支持腕部とを備え、
上記横棒側部材が、上記横棒の基端部に嵌合して当該横棒を支持すると共に上記支柱側部材の２つの支持腕部間に回動可能に支持される横棒側支持筒部と、当該横棒側支持筒部のうち上記支柱側支持筒部側に面して設けられ当該横棒側支持筒部が他方へ回動して当該支柱側支持筒部の上端面に当接することで上記横棒側支持筒部の回動を設定角度で規制するストッパとを備えたことを特徴とする立て掛け型支持フレーム。
【考案の詳細な説明】
【０００１】
【考案の属する技術分野】
この考案は、支柱等が床面で滑るのを防止する滑り止めキャップ及び壁に立て掛けるだけで服や洗濯物等を掛けることができる立て掛け型支持フレームに関するものである。
【０００２】
【従来の技術】
通常、滑り止めキャップとして、円筒状のゴム等が用いられる。この円筒状のゴム等を管材の先端に取り付けて使用される。
【０００３】
【考案が解決しようとする課題】
しかしながら、上記滑り止めキャップを円筒状のゴム等で構成する場合は、接触面が変形したりゆがんだりして、摩擦力が十分に得られない場合がある。
【０００４】
本考案は、上述の点に鑑みてなされたもので、十分な摩擦力を得ることができる滑り止めキャップ及び立て掛け型支持フレームを提供することを目的とする。
【０００５】
【課題を解決するための手段】
前述した課題を解決するために第１の考案に係る滑り止めキャップは、床面等に沿って配設される棒材の端部に取り付けられて当該棒材の滑りを防止する滑り止めキャップであって、外周面の横断面形状を多角形状に成形したことを特徴とする。
【０００６】
上記構成により、滑り止めキャップの外周面の横断面形状を多角形状に成形することで、多角形の頂点や辺の部分が床面に強く接触して、十分な摩擦力を得ることができる。
【０００７】
第２の考案に係る滑り止めキャップは、第１の考案に係る滑り止めキャップにおいて、上記多角形状の外周面の縦断面形状が樽型に湾曲させて成形されたことを特徴とする。
【０００８】
上記構成により、滑り止めキャップを樽型に湾曲させることで、角度がずれても滑り止めキャップを床面に確実に接触させることができる。
【０００９】
第３の考案に係る滑り止めキャップは、第１又は第２の考案に係る滑り止めキャップにおいて、上記多角形の外周面の各辺を、内側へ湾曲させて成形されたことを特徴とする。
【００１０】
上記構成により、多角形の外周面の各辺を内側へ湾曲させて成形することで多角形の各頂点が床面に接触し、強く押し付けられることで各辺が接触する。これにより、大きな摩擦力を得ることができる。
【００１１】
第４の考案に係る滑り止めキャップは、床面等に沿って配設される棒材の端部に取り付けられて当該棒材の滑りを防止する滑り止めキャップであって、外周面の横断面形状を円形状に成形すると共に、その外周面に軸方向に沿った凸条を複数設けたことを特徴とする。
【００１２】
上記構成により、外周面の凸条が床面に強く押し付けられて、大きな摩擦力を得ることができる。
【００１３】
第５の考案に係る滑り止めキャップは、第４の考案に係る滑り止めキャップにおいて、上記円形状の外周面の縦断面形状が樽型に湾曲させて成形されたことを特徴とする。
【００１４】
上記構成により、滑り止めキャップを樽型に湾曲させることで、どの角度でも滑り止めキャップを床面に接触させることができる。
【００１５】
第６の考案に係る立て掛け型支持フレームは、横方向に配設されて物が掛けられる横棒と、当該横棒の一端を支持して他端を壁面に当接させることで当該横棒を横方向に保つ支柱と、上記横棒と上記支柱とを回動可能に連結すると共に、任意の設定角度で回動を規制する角度規制型ヒンジと、上記支柱の下端部に設けられ、上記横棒と直交する方向に配設されて上記支柱を任意の角度で支持する支持脚と、当該支持脚の端部に取り付けられた請求項１ないし５のいずれか１項に記載の滑り止めキャップとを備えて構成されたことを特徴とする。
【００１６】
上記構成により、支持脚の端部に取り付けられた滑り止めキャップが、床面に大きな摩擦力で接触して、立て掛け型支持フレームを支えることができる。
【００１７】
第７の考案に係る立て掛け型支持フレームは、第６の考案に係る立て掛け型支持フレームにおいて、上記角度規制型ヒンジが、上記支柱の上端に取り付けられる支柱側部材と、上記横棒の基端部に取り付けられる横棒側部材とからなり、上記横棒側部材が上記支柱側部材に回動可能に支持されると共に、任意の設定角度で横棒側部材が支柱側部材に当接して回動を規制されることを特徴とする。
【００１８】
上記構成により、横棒側部材が、支柱側部材に回動可能に支持され、任意の設定角度で回動が規制されることで、横棒が設定角度（水平又はほぼ水平）に支持される。
【００１９】
第８の考案に係る立て掛け型支持フレームは、第６の考案に係る立て掛け型支持フレームにおいて、上記角度規制型ヒンジが、上記支柱の上端に取り付けられる支柱側部材と、上記横棒の基端部に取り付けられる横棒側部材とからなり、上記支柱側部材が、上記支柱の上端に嵌合して固定される支柱側支持筒部と、当該支柱側支持筒部の軸芯から一方へ偏心させて上方へ延ばした２つの支持腕部とを備え、上記横棒側部材が、上記横棒の基端部に嵌合して当該横棒を支持すると共に上記支柱側部材の２つの支持腕部間に回動可能に支持される横棒側支持筒部と、当該横棒側支持筒部のうち上記支柱側支持筒部側に面して設けられ当該横棒側支持筒部が他方へ回動して当該支柱側支持筒部の上端面に当接することで上記横棒側支持筒部の回動を設定角度で規制するストッパとを備えたことを特徴とする。
【００２０】
上記構成により、支柱側部材の支柱側支持筒部が支柱の上端に固定された状態で、支持腕部が横棒側部材の横棒側支持筒部を回動可能に支持する。そして、横棒側支持筒部が他方へ回動してストッパが支柱側支持筒部の上端面に当接することで、横棒側支持筒部が設定角度で支持される。これにより、横棒が水平又はほぼ水平に支持される。
【００２１】
【考案の実施の形態】
以下、本考案に係る滑り止めキャップ及び立て掛け型支持フレームについて図面を参照しながら説明する。なお、ここでは、滑り止めキャップを立て掛け型支持フレームに取り付けられた床面用滑り止めキャップとして説明する。
【００２２】
図１は本実施形態に係る滑り止めキャップを示す側面図、図２は本実施形態に係る立て掛け型支持フレームを示す斜視図、図３は本実施形態に係る立て掛け型支持フレームを壁面に立て掛けた状態を示す斜視図、図４は本実施形態に係る立て掛け型支持フレームを示す斜視図、図５は本実施形態に係る立て掛け型支持フレームの支持脚を示す分解斜視図、図６は本実施形態に係る立て掛け型支持フレームの角度規制型ヒンジを示す側面図、図７は本実施形態に係る立て掛け型支持フレームの角度規制型ヒンジを示す側面図、図８は本実施形態に係る立て掛け型支持フレームの角度規制型ヒンジを示す側面図、図９は本実施形態に係る立て掛け型支持フレームの角度規制型ヒンジを示す正面図、図１０は本実施形態に係る立て掛け型支持フレームの角度規制型ヒンジを示す側面断面図、図１１は本実施形態に係る滑り止めキャップを示す正面図、図１２は本実施形態に係る立て掛け型支持フレームの壁面用滑り止めキャップを示す正面図、図１３は本実施形態に係る立て掛け型支持フレームの壁面用滑り止めキャップを示す平面図、図１４は本実施形態に係る立て掛け型支持フレームの使用態様を示す側面図である。
【００２３】
立て掛け型支持フレーム１１は、使用しないときは部屋の片隅や押入等にしまっておき、使用するときに部屋の片隅等から持ち出して壁に立て掛けるだけで、簡単に服や洗濯物等を掛けることができるハンガー（物干し）である。
【００２４】
立て掛け型支持フレーム１１は、図２〜５に示すように主に、横棒１２と、支柱１３と、角度規制型ヒンジ１４と、支持脚１５とから構成されている。
【００２５】
横棒１２は、横方向に配設されて物を掛けるための棒材である。この横棒１２は、円形筒状の棒材で構成されている。具体的には、塩化ビニールを被覆した鋼管によって構成されている。なお、横棒１２の材質及び寸法（長さ及び直径）は、用途に応じて適宜設定される。
【００２６】
支柱１３は、横棒１２の一端を支持するための部材である。この支柱１３は、円形筒状の棒材で構成されている。具体的には、塩化ビニールを被覆した鋼管によって構成されている。支柱１３は、横棒１２の一端を支持した状態で横棒１２の他端を壁面に当接させることで、横棒１２を水平に保つようになっている。
【００２７】
角度規制型ヒンジ１４は、横棒１２と支柱１３とを回動可能に連結すると共に、任意の設定角度で回動を規制するための部材である。この角度規制型ヒンジ１４は、図６〜１０に示すように、支柱１３の上端に取り付けられる支柱側部材１７と、横棒１２の基端部に取り付けられる横棒側部材１８とから構成されている。
【００２８】
支柱側部材１７は、支柱１３の上端に嵌合して固定される支柱側支持筒部２０と、支柱側支持筒部２０の軸芯から一方（図８中の右方）へ偏心させて上方へ延ばした２つの支持腕部２１とから構成されている。
【００２９】
支柱側支持筒部２０は、上端が塞がった筒材で構成され、その内径を支柱１３の外径よりも僅かに小さい寸法に設定されている。支柱側支持筒部２０の外周には、支柱側支持筒部２０が支柱１３に取り付けられた状態で、互いに固定するためのネジ穴（図示せず）が設けられている。支柱側支持筒部２０の上端面は後述するストッパ２３を受ける当接面２０Ａとなっている。
【００３０】
支持腕部２１は、その側面形状（図８の形状）がほぼＬ字型に形成されている。このほぼＬ字型の支持腕部２１は、支柱側支持筒部２０を挟んで２枚配設され、支柱側支持筒部２０の外周面に一体的に設けられている。支持腕部２１の上端にはネジ穴（図示せず）が設けられ、ネジ２４で横棒側部材１８が回動可能に取り付けられている。
【００３１】
横棒側部材１８は、横棒１２を支持して支柱側部材１７の２つの支持腕部２１間に回動可能に支持される横棒側支持筒部２２と、横棒側支持筒部２２が他方（図８中の左方向）へ回動して支柱側支持筒部２０に当接することで横棒側支持筒部２２の回動を設定角度で規制するストッパ２３とから構成されている。
【００３２】
横棒側支持筒部２２は、一端が塞がった筒材で構成され、その内径を横棒１２の外径よりも僅かに小さい寸法に設定されている。この横棒側支持筒部２２は、横棒１２の基端部が嵌合されてネジ穴２２Ａにネジ（図示せず）がねじ込まれて固定されることで、横棒１２を支持している。横棒側支持筒部２２は、その基端部が支柱側部材１７の２つの支持腕部２１にネジ２４で回動可能に取り付けられている。このように、横棒側支持筒部２２が支柱側部材１７の２つの支持腕部２１間に回動可能に支持されることで、横棒１２が、角度規制型ヒンジ１４を介して支柱１３に回動可能に支持されている。
【００３３】
ストッパ２３は、横棒側支持筒部２２が他方へ回動して支柱側支持筒部２０の当接面２０Ａに当接することで横棒側支持筒部２２の回動を設定角度で規制するための部材である。ストッパ２３は、ほぼ台形状に形成され、横棒側支持筒部２２のうち支柱側支持筒部２０側に面して設けられている。ストッパ２３を支柱側支持筒部２０側に面して設けたのは、ストッパ２３が支柱１３をその上端から押すようにするためである。通常管材は、横からに力には弱いが、縦からの力には強い。このため、ストッパ２３が支柱１３をその上端から押す場合、大きな力に耐えることができるようになる。この台形状のストッパ２３の先端面は当接面２３Ａとなっている。この当接面２３Ａは、横棒側支持筒部２２の軸芯方向から僅かにずれた角度に設定されている。この当接面２３Ａの、横棒側支持筒部２２の軸芯方向に対する角度は、立て掛け型支持フレーム１１を壁に立て掛けて使用する際の、横棒１２と支柱１３との設定角度に合わせて調整される。具体的には、設計段階において、実際に使用する際の横棒１２と支柱１３との角度に合わせて、横棒側支持筒部２２の軸芯方向に対する当接面２３Ａの角度が設計される。例えば、９０度、９０度よりも多少開いた角度（９５〜１００度程度）又はそれ以上、９０度よりも多少閉じた角度（８５〜９０度程度）又はそれ以下等の角度に適宜設定する。
【００３４】
この場合、ストッパ２３の当接面２３Ａ又は支柱側支持筒部２０の当接面２０Ａに、くさび状のスペーサ（図示せず）を接着剤等で取り付けて、横棒１２と支柱１３との角度を調整してもよい。
【００３５】
上記支柱側部材１７及び横棒側部材１８は、横棒１２及びこの横棒１２に掛けられる物を支持できる程度の強度が要求されるため、ＡＢＳ樹脂、熱可塑性エラストマー等の十分な強度を備えた樹脂で成型される。
【００３６】
支持脚１５は支柱１３の下端部に設けられて支柱１３を支持すると共に、支柱１３の横棒１２に沿う方向の倒れを許容するするための部材である。支持脚１５は、Ｔ字型接続管２６と、水平管２７と、床面用滑り止めキャップ２８とから構成されている。
【００３７】
Ｔ字型接続管２６は、水平管２７を支柱１３の下端部に取り付けるための部材である。Ｔ字型接続管２６は、熱可塑性エラストマー等の合成樹脂で構成されている。Ｔ字型接続管２６の内径は、支柱１３及び水平管２７の外径よりも僅かに小さい程度に設定されている。Ｔ字型接続管２６には３つのネジ穴２９が設けられ、３つのネジ３０によって支柱１３及び２つの水平管２７がＴ字型接続管２６にそれぞれ固定される。
【００３８】
水平管２７は、支柱１３を横棒１２に沿う方向（水平状態に支持された横棒１２の軸芯方向）への倒れを許容して、横棒１２と直交する方向への倒れを規制するための部材である。水平管２７は、Ｔ字型接続管２６によって、横棒１２と直交する方向に向けて支柱１３に取り付けられる。
【００３９】
床面用滑り止めキャップ２８は、支持脚１５が床面に対して滑るのを防止するための部材である。床面用滑り止めキャップ２８は、水平管２７の先端部に取り付けられている。床面用滑り止めキャップ２８は、図１，１１に示すように、外周面の横断面形状を多角形状に成形されている。さらに、外周面の縦断面形状を樽型に湾曲させて成形されている。多角形の外周面の各辺２８Ａは、内側へ湾曲させて成形されている。
【００４０】
横棒１２の他端部（先端部）には、壁面用滑り止めキャップ３１が取り付けられている。この壁面用滑り止めキャップ３１は、図１２及び図１３に示すように、横棒１２の先端部に嵌合して固定される筒部３２と、筒部３２の先端に設けられて直接壁面に当接する当接部３３とから構成されている。
【００４１】
当接部３３の当接面は、円弧筒状に湾曲させて形成されている。これは、横棒１２が壁面に対して垂直方向から当接する場合以外に、斜め方向から当接する場合でも、当接部３３の当接面が壁面に確実に当接することができるようにするためである。また、平坦な壁面だけでなく、湾曲したり傾斜したりした壁面に対しても確実に当接することができる。さらに、当接部３３の当接面には、複数本の凸条３４が設けられている。この凸条３４は、壁面に強く圧接して大きな摩擦力を発生させるための突起である。凸条３４は、円弧筒状に湾曲した当接面の軸芯方向（図１２の左右方向）平行に複数本設けられている。
【００４２】
この当接部３３の当接面は、凸条３４が横になるように設定されている。なお、凸条３４が縦になるように設定してもよい。使用態様に応じて適宜調整する。
【００４３】
［動作］
以上のように構成された立て掛け型支持フレーム１１は、次のようにして使用する。ここでは主に図２、図３及び図１４を中心にして説明する。
【００４４】
立て掛け型支持フレーム１１を使用しないときは、図２又は図３の点線状態のように、横棒１２を折り畳んで支柱１３と合わせ、部屋の片隅や押入等に収納しておく。使用する場合は、立て掛け型支持フレーム１１を取り出し、図３のように、横棒１２をおおよそ２７０度回転させる。
【００４５】
このとき、角度規制型ヒンジ１４では、角度規制型ヒンジ１４の横棒側部材１８の横棒側支持筒部２２が支柱側部材１７の２つの支持腕部２１に支持されて回動する。そして、ストッパ２３の当接面２３Ａが支柱側支持筒部２０の当接面２０Ａに当接したところで、横棒側支持筒部２２の回動が規制され、横棒１２が支柱１３に対して設定された角度で支持される。
【００４６】
この状態で、立て掛け型支持フレーム１１を壁面と一定の距離を空けた状態で床面に置き、壁面に立て掛ける。これにより、床面用滑り止めキャップ２８が大きな摩擦力で床面に接触して支柱１３を支え、横棒１２の先端が壁面に当接する。
【００４７】
多角形状に成形された床面用滑り止めキャップ２８は、多角形の頂点２８Ｂや辺２８Ａの部分が床面に強く接触して、十分な摩擦力を得ることができる。また、樽型に湾曲して形成された床面用滑り止めキャップ２８は、支持脚１５が多少傾いて角度が変化したような場合でも、床面に確実に接触される。即ち、床面用滑り止めキャップ２８は、どの角度でも滑り止めキャップが床面に接触する。
【００４８】
このとき、床面用滑り止めキャップ２８の辺２８Ａは、内側へ湾曲させて成形されているので、多角形の各頂点２８Ｂが床面に接触して強く押し付けられると、この頂点２８Ｂが床面と強く接触して大きな摩擦力で支柱１３を支持する。さらに、各頂点２８Ｂが床面に接触して強く押し付けられると、変形して各辺２８Ａが床面に接触して、さらに大きな摩擦力で支柱１３を支持する。
【００４９】
横棒１２の先端の壁面用滑り止めキャップ３１は、その当接部３３が壁面に当接する。このとき、当接部３３の当接面は円弧筒状に湾曲させて形成されているため、横棒１２を壁面に対して垂直方向から接触した場合でも、垂直からずれた方向から接触した場合でも、当接部３３の当接面を壁面に確実に接触させることができる。
【００５０】
この状態で、図１４のように、服を掛けたり、洗濯物を干したりする。
【００５１】
洗濯物が乾いた場合等のように、立て掛け型支持フレーム１１が必要なくなったときは、横棒１２を回動させて図３の点線の状態のように、支柱１３と合わさるように折り畳む。次いで、部屋の片隅等に収納する。
【００５２】
［効果］
以上のように、床面用滑り止めキャップ２８の外周面の横断面形状を多角形状に成形したので、多角形の頂点や辺の部分が床面に強く接触して、十分な摩擦力を得ることができる。
【００５３】
また、床面用滑り止めキャップ２８を樽型に湾曲させたので、どの角度でも床面用滑り止めキャップ２８を床面に接触させることができる。
【００５４】
さらに、床面用滑り止めキャップ２８の外周面の各辺２８Ａを内側へ湾曲させて成形したので、各頂点２８Ｂが床面に接触すると共に、強く押し付けられることで各辺２８Ａも接触して、大きな摩擦力を得ることができる。
【００５５】
立て掛け型支持フレーム１１は、使用しないときは、横棒１２を折り畳んで部屋の片隅等に置いておけるので、邪魔にならず、コンパクトに収納することができると共に、容易に出し入れすることができる。
【００５６】
使用するときは、部屋の片隅等から持ち出してきて壁に立て掛けるだけで済むため、服や洗濯物等を掛けることができるハンガー（物干し）を、場所を選ばずに簡単に作ることができる。即ち、壁さえあれば、どこでも容易に物を掛けることができる。
【００５７】
横棒１２の先端に壁面用滑り止めキャップ３１を設けたので、壁面の形状や角度等に関係なく、安定して壁に立て掛けることができる。
【００５８】
角度規制型ヒンジ１４を、そのストッパ２３が支柱１３をその上端から押すように構成したので、強い力に耐えられるようになり、重い物も掛けることができるようになる。
【００５９】
［変形例］
（１）　上記実施形態では、床面用滑り止めキャップ２８の外周面を多角形で樽型に成形したが、図１５及び図１６に示すように、床面用滑り止めキャップ３６の外周面の横断面形状を円形状に成形すると共に、その外周面に軸方向に沿った凸条３７を複数設けて構成してもよい。この場合、外周面の凸条３７が床面に強く押し付けられて、大きな摩擦力を得ることができる。
【００６０】
また、床面用滑り止めキャップ３６の外周面の縦断面形状が樽型に湾曲させて成形してもよい。床面用滑り止めキャップ３６を樽型に湾曲させることで、どの角度でも床面用滑り止めキャップ３６を床面に接触させることができる。
【００６１】
（２）　上記実施形態では、床面用滑り止めキャップ２８の外周面を八角形状にして各辺を湾曲させてたが、図１７に示すように、直線上に成形してもよい。この場合も、十分な摩擦力を得ることができる。
【００６２】
また、床面用滑り止めキャップ２８の外周面は八角形状にしたが、図１８に示すように、三角形状にしてもよい。また、四角形又は五角形以上でもよい。さらに、各辺も、図１８のように湾曲させてもよく、図１９のように直線状にしてもよい。
【００６３】
（３）　上記実施形態では、床面用滑り止めキャップ２８を立て掛け型支持フレーム１１に設けた場合を例に説明したが、床面用滑り止めキャップ２８は、立て掛け型支持フレーム１１に限らず、他の部材でも、床面に十分な摩擦を持たせて据え付ける必要のあるものに使用することができる。この場合も、上記実施形態同様の作用、効果を奏することができる。
【００６４】
（４）　上記実施形態では、服や洗濯物を掛ける場合を例に説明したが、本考案の立て掛け型支持フレームはこれに限らず、つり下げ式の鉢や棚等の引っ掛けることができるもの全てに対応することができる。
【００６５】
（５）　上記実施形態において、横棒１２は水平に配設しても、傾けてもよい。横棒１２を傾けて配設する場合は、その横棒１２に掛ける物に応じて、滑り止め等を施す。例えば、横棒１２の下側に複数のフックを設けたり、上側に円周方向の溝を刻んだり、凹凸を設けたりする。
【００６６】
この場合も、上記実施形態と同様の作用、効果を奏することができる。
【００６７】
（６）　上記実施形態では、角度規制型ヒンジ１４を設けたが、角度規制型ヒンジ１４を設けずに、横棒１２と支柱１３とを設定角度で固定してもよい。
【００６８】
この場合も、収納面での利点以外で、上記実施形態と同様の作用、効果を奏することができる。
【００６９】
【考案の効果】
以上、詳細に説明したように本考案によれば、次のような効果を奏することができる。
【００７０】
（１）　滑り止めキャップの外周面の横断面形状を多角形状に成形したので、多角形の頂点や辺の部分が床面に強く接触して、十分な摩擦力を得ることができるようになる。
【００７１】
（２）　多角形状の外周面の縦断面形状を樽型に湾曲させて成形したので、角度がずれても滑り止めキャップを床面に確実に接触させることができるようになる。
【００７２】
（３）　多角形の外周面の各辺を、内側へ湾曲させて成形したので、多角形の各頂点が床面に接触して強く押し付けられ、大きな摩擦力を得ることができるようになる。
【００７３】
（４）　滑り止めキャップの外周面の横断面形状を円形状に成形すると共に、その外周面に軸方向に沿った凸条を複数設けたので、外周面の凸条が床面に強く押し付けられて、大きな摩擦力を得ることができるようになる。
【００７４】
（５）　滑り止めキャップの円形状の外周面の縦断面形状を樽型に湾曲させて成形したので、どの角度でも滑り止めキャップを床面に接触させることができる。
【００７５】
（６）　立て掛け型支持フレームの支持脚の端部に滑り止めキャップを設けたので、滑り止めキャップが、床面に大きな摩擦力で接触して、立て掛け型支持フレームを確実に支えることができるようになる。
【００７６】
（７）　角度規制型ヒンジを、支柱の上端に取り付けられる支柱側部材と、横棒の基端部に取り付けられる横棒側部材とからなり、上記横棒側部材が上記支柱側部材に回動可能に支持されると共に、任意の設定角度で横棒側部材が支柱側部材に当接して回動を規制されるようにしたので、横棒側部材が、支柱側部材に回動可能に支持され、任意の設定角度で回動が規制されることで、横棒を設定角度で支持することができる。
【００７７】
（８）　支柱側部材を、上記支柱の上端に嵌合して固定される支柱側支持筒部と、当該支柱側支持筒部の軸芯から一方へ偏心させて上方へ延ばした２つの支持腕部とを備えて構成すると共に、横棒側部材を、上記横棒の基端部に嵌合して当該横棒を支持すると共に上記支柱側部材の２つの支持腕部間に回動可能に支持される横棒側支持筒部と、当該横棒側支持筒部のうち上記支柱側支持筒部側に面して設けられ当該横棒側支持筒部が他方へ回動して当該支柱側支持筒部の上端面に当接することで上記横棒側支持筒部の回動を設定角度で規制するストッパとを備えて構成したので、横棒側支持筒部が他方へ回動してストッパが支柱側支持筒部の上端面に当接することで、横棒側支持筒部を設定角度で支持して、横棒を水平又はほぼ水平に支持することができる。
【図面の簡単な説明】
【図１】本考案の実施形態に係る滑り止めキャップを示す側面図である。
【図２】本考案の実施形態に係る立て掛け型支持フレームを示す斜視図である。
【図３】本考案の実施形態に係る立て掛け型支持フレームを壁面に立て掛けた状態を示す斜視図である。
【図４】本考案の実施形態に係る立て掛け型支持フレームを示す斜視図である。
【図５】本考案の実施形態に係る立て掛け型支持フレームの支持脚を示す分解斜視図である。
【図６】本考案の実施形態に係る立て掛け型支持フレームの角度規制型ヒンジを示す側面図である。
【図７】本考案の実施形態に係る立て掛け型支持フレームの角度規制型ヒンジを示す側面図である。
【図８】本考案の実施形態に係る立て掛け型支持フレームの角度規制型ヒンジを示す側面図である。
【図９】本考案の実施形態に係る立て掛け型支持フレームの角度規制型ヒンジを示す正面図である。
【図１０】本考案の実施形態に係る立て掛け型支持フレームの角度規制型ヒンジを示す側面断面図である。
【図１１】本考案の実施形態に係る滑り止めキャップを示す正面図である。
【図１２】本考案の実施形態に係る立て掛け型支持フレームの壁面用滑り止めキャップを示す正面図である。
【図１３】本考案の実施形態に係る立て掛け型支持フレームの壁面用滑り止めキャップを示す平面図である。
【図１４】本考案の実施形態に係る立て掛け型支持フレームの使用態様を示す側面図である。
【図１５】本考案の第１変形例をを示す側面図である。
【図１６】本考案の第１変形例をを示す正面図である。
【図１７】本考案の第２変形例をを示す側面図である。
【図１８】本考案の第３変形例をを示す側面図である。
【図１９】本考案の第４変形例をを示す側面図である。
【符号の説明】
１１：立て掛け型支持フレーム、１２：横棒、１３：支柱、１４：角度規制型ヒンジ、１５：支持脚、１７：支柱側部材、１８：横棒側部材、２０：支柱側支持筒部、２０Ａ：当接面、２１：支持腕部、２２：横棒側支持筒部、２２Ａ：ネジ穴、２３：ストッパ、２３Ａ：当接面、２４：ネジ、２６：Ｔ字型接続管、２７：水平管、２８：床面用滑り止めキャップ、２９：ネジ穴、３０：ネジ、３１：壁面用滑り止めキャップ、３２：筒部、３３：当接部、３４：凸条、３６：床面用滑り止めキャップ、３７：凸条。
【図１】
0003099249.tif 000003
【図２】
0003099249.tif 000004
【図３】
0003099249.tif 000005
【図４】
0003099249.tif 000006
【図５】
0003099249.tif 000007
【図６】
0003099249.tif 000008
【図７】
0003099249.tif 000009
【図８】
0003099249.tif 000010
【図９】
0003099249.tif 000011
【図１０】
0003099249.tif 000012
【図１１】
0003099249.tif 000013
【図１２】
0003099249.tif 000014
【図１３】
0003099249.tif 000015
【図１４】
0003099249.tif 000016
【図１５】
0003099249.tif 000017
【図１６】
0003099249.tif 000018
【図１７】
0003099249.tif 000019
【図１８】
0003099249.tif 000020
【図１９】
0003099249.tif 000021